(57)【要約】【課題】相対速度が０．５ｍ／ｓｅｃ以上の高速プリンターを用いて高速印刷を行う場合においても耐ブリード性に優れた、４色以上のインクを備えるインクセットを提供する。【解決手段】相対速度が０．５ｍ／ｓｅｃ以上のインクジェット記録装置に用いられる、４種以上のインクを備えたインクセットであって、脂肪酸と自己分散型顔料とを含有し、かつ、該４種以上のインクのうち最もＬ値が低い第１インクと、樹脂分散型顔料を含有し、脂肪酸を実質的に含有せず、かつ、該４種以上のインクのうち最もＬ値が高い第２インクと、緩浸透溶剤を含有し、かつ、前記第１インク及び第２インク以外の２種以上のインクである第３インクと、を含む、インクセットである。【選択図】なし【特許請求の範囲】
【請求項１】
相対速度が０．５ｍ／ｓｅｃ以上のインクジェット記録装置に用いられる、４種以上のインクを備えたインクセットであって、
脂肪酸と自己分散型顔料とを含有し、かつ、該４種以上のインクのうち最もＬ値が低い第１インクと、
樹脂分散型顔料を含有し、脂肪酸を実質的に含有せず、かつ、該４種以上のインクのうち最もＬ値が高い第２インクと、
緩浸透溶剤を含有し、かつ、前記第１インク及び第２インク以外の２種以上のインクである第３インクと、を含む、インクセット。
【請求項２】
２種以上の前記第３インクは、互いに独立して顔料及び緩浸透溶剤を含有し、
前記第３インクのうち前記顔料の含有量が相対的に多いインクは、前記緩浸透溶剤を相対的に少なく含有する、請求項１に記載のインクセット。
【請求項３】
前記第３インクのうち前記顔料の含有量が相対的に多いインクは、マゼンタインクであり、前記顔料が自己分散顔料又は樹脂分散型顔料であり、かつ、浸透溶剤をさらに含有し、
前記第３インクのうち前記顔料の含有量が相対的に少ないインクは、シアンインクであり、かつ、前記顔料が自己分散顔料又は樹脂分散型顔料である、請求項１又は２に記載のインクセット。
【請求項４】
前記緩浸透溶剤は、１，３−プロパンジオール、１，４−ブタンジオール、１，５−ペンタンジオール、及び１，６−ヘキサンジオールからなる群より選択される一種以上である、請求項１〜３のいずれか１項に記載のインクセット。
【請求項５】
前記浸透溶剤は、炭素数４以上の１，２−アルカンジオール、２，２−ジメチル−１，３−ヘキサンジオール、２−エチル−１，３−ヘキサンジオール、及びグリコールエーテル類からなる群より選択される１種以上である、請求項３又は４に記載のインクセット。
【請求項６】
前記第１インク及び前記第３インクのうち少なくともいずれかが樹脂粒子を含有する、請求項１〜５のいずれか１項に記載のインクセット。
【請求項７】
請求項１〜６のいずれか１項に記載のインクセットを用いて記録する、インクジェット記録方法。
【発明の詳細な説明】
【技術分野】
【０００１】
本発明は、インクセット及びこれを用いたインクジェット記録方法に関する。
【背景技術】
【０００２】
インクジェット記録方法は、インクの小滴を飛翔させ、紙などの被記録媒体に付着させて印刷を行う方法である。その際用いられるインクとしては、一般に各種の水溶性染料を水又は水と水溶性有機溶剤とに溶解させたものが使用されている。
【０００３】
特許文献１は、普通紙記録におけるカラーブリーディングを実質的に解消するため、ブラック染料、ジエチレングリコール、イソプロピルアルコール、オクタン、界面活性剤、ニトロセルロース、及び水からなる水性インクを開示している（特許文献１の段落０００９、００４８の実施例１）。
【先行技術文献】
【特許文献】
【０００４】
【特許文献１】特開平８−１５７７６１号公報
【発明の概要】
【発明が解決しようとする課題】
【０００５】
しかしながら、上記のような水溶性染料を含むインクにより形成された画像は、耐水性や耐候性に劣るだけでなく、特に低吸収性の被記録媒体に記録する際、ブリーディングが異常に発生するという問題が生じる。また、特許文献１は、一種単独のインクを普通紙に記録する旨を開示するにすぎず、複数色のインクを組み合わせたインクセットについては何ら開示していない。さらに、家庭用のインクジェットプリンター及び一部のビジネス用のインクジェットプリンターは０．５ｍ／ｓｅｃ以上のキャリッジ速度でキャリッジを移動させる高速プリンターである。当該高速プリンターを用いて、従来のインクより作製した複数色のインクセットを高速で記録（印刷）する場合、被記録媒体上で極めて乾きにくくブリーディングが発生しやすいという問題が生じる。そのため、高速プリンターを用いて高速印刷を行う場合においても耐ブリード性に優れた、４種以上のインクを備えるインクセットが強く求められている。
【０００６】
そこで、本発明は、相対速度が０．５ｍ／ｓｅｃ以上の高速プリンターを用いて高速印刷を行う場合においても耐ブリード性に優れた、４種以上のインクを備えるインクセットを提供することを目的の一つとする。
【０００７】
また、本発明は、上記インクセットを用いたインクジェット記録方法を提供することを目的の一つとする。
【課題を解決するための手段】
【０００８】
本願発明者らは上記課題を解決するため鋭意検討した。その結果、相対速度が０．５ｍ／ｓｅｃ以上の高速プリンターに用いられるインクセットを構成する４種以上のインクはそれぞれ、視認性に影響を与えるＬ値において固有の特徴を有するため、当該固有の特徴を踏まえたインク組成とすることにより、上記課題を解決できることを見出し、本発明を完成させた。
【０００９】
即ち、本発明は下記のとおりである。
［１］
相対速度が０．５ｍ／ｓｅｃ以上のインクジェット記録装置に用いられる、４種以上のインクを備えたインクセットであって、
脂肪酸と自己分散型顔料とを含有し、かつ、該４種以上のインクのうち最もＬ値が低い第１インクと、
樹脂分散型顔料を含有し、脂肪酸を実質的に含有せず、かつ、該４種以上のインクのうち最もＬ値が高い第２インクと、
緩浸透溶剤を含有し、かつ、前記第１インク及び第２インク以外の２種以上のインクである第３インクと、を含む、インクセット。
［２］
２種以上の前記第３インクは、互いに独立して顔料及び緩浸透溶剤を含有し、
前記第３インクのうち前記顔料の含有量が相対的に多いインクは、前記緩浸透溶剤を相対的に少なく含有する、［１］に記載のインクセット。
［３］
前記第３インクのうち前記顔料の含有量が相対的に多いインクは、マゼンタインクであり、前記顔料が自己分散顔料又は樹脂分散型顔料であり、かつ、浸透溶剤をさらに含有し、
前記第３インクのうち前記顔料の含有量が相対的に少ないインクは、シアンインクであり、かつ、前記顔料が自己分散顔料又は樹脂分散型顔料である、［１］又は［２］に記載のインクセット。
［４］
前記緩浸透溶剤は、１，３−プロパンジオール、１，４−ブタンジオール、１，５−ペンタンジオール、及び１，６−ヘキサンジオールからなる群より選択される一種以上である、［１］〜［３］のいずれかに記載のインクセット。
［５］
前記浸透溶剤は、炭素数４以上の１，２−アルカンジオール、２，２−ジメチル−１，３−ヘキサンジオール、２−エチル−１，３−ヘキサンジオール、及びグリコールエーテル類からなる群より選択される１種以上である、［３］又は［４］に記載のインクセット。
［６］
前記第１インク及び前記第３インクのうち少なくともいずれかが樹脂粒子を含有する、［１］〜［５］のいずれかに記載のインクセット。
［７］
［１］〜［６］のいずれかに記載のインクセットを用いて記録する、インクジェット記録方法。
【発明を実施するための形態】
【００１０】
本発明の実施の形態について説明する。以下の実施形態は、本発明を説明するための例示であり、本発明をこの実施形態にのみ限定する趣旨ではない。本発明は、その要旨を逸脱しない限り、様々な形態で実施することができる。
【００１１】
ここで、本明細書において、「ブリード」又は「ブリーディング」とは滲みを意味し、「耐ブリード性」とは、異なる色同士の境界部分に滲みが生じにくい性質を言い、ブリーディング抑制効果と換言することができる。
【００１２】
本明細書において、Ｌ値は、規格番号ＪＩＳ Ｚ ８７２９：２００４で示される明度指数Ｌ*であり、Ｓｐｅｃｔｒｏｌｉｎｏ／Ｓｐｅｃｔｒｏｓｃａｎ（Gretag Macbeth社製）を用いて測定することができる。Ｌ値は、１００に近いほど明度が高く（白く）、０（ゼロ）に近いほど明度が低く（黒く）なる。なお、上記ＪＩＳ Ｚ ８７２９：２００４は、標題が「色の表示方法―Ｌ＊ａ＊ｂ＊表色系及びＬ＊ｕ＊ｖ＊表色系」であり、対応国際規格がＩＣＳ １７．１８０．２０である。
【００１３】
本明細書において、「（メタ）アクリレート」とは「アクリレート」及びそれに対応する「メタクリレート」を意味し、「（メタ）アクリル」とは「アクリル」及びそれに対応する「メタクリル」を意味し、「（メタ）アクリロイル」とは「アクリロイル」及びそれに対応する「メタクリロイル」を意味する。
【００１４】
本明細書において、「低吸水性の被記録媒体」とは、水性インクの受容層を備えていない、あるいは、水性インクの受容性が乏しい被記録媒体をいう。より定量的には、低吸水性の被記録媒体とは、被記録面が、ブリストー（Ｂｒｉｓｔｏｗ）法において接触開始から３０ｍｓｅｃ1/2までの水吸収量が１０ｍＬ／ｍ2以下である被記録媒体を示す。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００１５】
［インクセット］
本発明の一実施形態はインクセットに係る。当該インクセットは４種以上のインクを備え、相対速度が０．５ｍ／ｓｅｃ以上である高速のインクジェットプリンター（インクジェット記録装置）に好適に用いられるものである。高速のプリンターを用いた高速印刷を行う場合、インクが乾きにくくてブリーディングが発生しやすいという問題が生じる。
【００１６】
そこで、本実施形態のインクセットは、高速印刷であっても耐ブリード性を優れたものとするため、第１インク、第２インク、及び第３インクを含み、各インクはそれぞれ所定の組成を有するものである。当該所定の組成は、インクセットを構成する各色のインクが後述する各々の特徴を十分発揮できるよう決められるものであり、主に、顔料の分散型及び含有量と、浸透溶剤の種類と、脂肪酸の有無と、を異ならせるものである。各インクの組成をこのように異ならせることにより、高速のプリンターを用いた高速印刷においてもインク同士が混ざりにくくなり、ブリーディングを抑制できるため耐ブリード性が優れたものとなる。
【００１７】
なお、当該第３インクは、１種単独のインクでなく、第１インク及び第２インクを除く２種以上のインクを含む。また、第１インク、第２インク、及び第３インクはいずれも、同色のインクを複数種有してもよい。
【００１８】
以下、本実施形態のインクセットを構成する各インクの特徴、及び各インクに含まれるか又は含まれ得る添加剤（成分）について詳細に説明する。
【００１９】
〔１．第１インク〕
本実施形態のインクセットに含まれる第１インクは、当該インクセットを構成する４種以上のインクのうち最も明度が低いものである。第１インクは、普通紙などの白色の被記録媒体において、視認性に優れたテキスト文書（文字）が得られるという特徴を有する。そのため、第１インクには特に優れた耐ブリード性が求められる。上記の特徴は、第１インクが上記インクセットを構成する４種以上のインクのうち最も低いＬ値を有することと関係がある。このように、特に優れた耐ブリード性が求められる点及び最も低いＬ値である点に鑑みて、本実施形態における第１インクは、文字や普通紙の裏抜けの抑制に適した組成を有するものであり、具体的には少なくとも脂肪酸及び自己分散型顔料を含有するものである。第１インクは、カラーインクであってもよいが、ブラックインクが好ましい。
【００２０】
上記の自己分散型顔料は、インクの総質量（１００質量％）に対する顔料濃度を高めやすく、発色性に優れた記録物を得ることができる。一方、第１インクが脂肪酸を含むことにより、例えば第１インクが、テキスト文書として好適に利用可能な６質量％以上の顔料を含有する場合においても、優れた吐出安定性が得られる。
【００２１】
また、耐ブリード性を一層優れたものとするため、第１インクは後述の緩浸透溶剤をさらに含有することが好ましい。
【００２２】
〔２．第２インク〕
本実施形態のインクセットに含まれる第２インクは、当該インクセットを構成する４種以上のインクのうち最も明度が高いものである。第２インクは、普通紙などの白色の被記録媒体において視認性があまり良好でない上、第１インクとの間でブリーディングが目立ちやすい。複数種のインク間におけるブリーディングの目立ちやすさは、両者の明度差（Ｌ値の差）に起因する。例えば、ブラックインク、シアンインク、マゼンタインク、及びイエローインクを少なくとも含むインクセットにおいて、Ｌ値が最も低いブラックインク（第１インク）とＬ値が最も高いイエローインク（第２インク）との間のブリーディングは目立ちやすいものとなる。
【００２３】
また、本実施形態における第２インクは、カラーインクであることが好ましい。例えば、ブラックインク、イエローインク、マゼンタインク、及びシアンインクからなるインクセットの場合、当該第２インクはイエローインクである。また、例えば、ブラックインク、イエローインク、マゼンタインク、シアンインク、ライトマゼンタインク、及びライトシアンインクからなるインクセットの場合、当該第２インクはイエローインク、ライトマゼンタインク、又はライトシアンインクである。ここで、当該ライトシアンインクとは、色相としてシアンを示し、かつ、シアンインクに含まれる顔料よりも少量の顔料を含むインクである。当該ライトマゼンタインクについても上記ライトシアンインクと同様のことが言える。
【００２４】
上記の特徴に鑑みて、本実施形態における第２インクは、視認性が良好でないことを利用した組成を有するものであり、具体的には、少なくとも樹脂分散型顔料を含有し、かつ、脂肪酸を実質的に含有しない。第２インクがこのような組成を有することにより、第１インクとの間のブリーディングを抑制することができる。ここで、本明細書における「実質的に含有しない」とは、本発明の目的を損なわない程度において含有してもよいという意味であり、定量的に言えば、インクの総質量（１００質量％）に対して、好ましくは０．０１質量％以下である。
【００２５】
上記第２インクの液滴は、被記録媒体上において、上記第１インクの液滴と混ざりにくいため、本実施形態のインクセットより得られる画像における記録解像度を向上させることができる。さらに、樹脂分散型顔料は画像に優れた光沢を付与することができる。
【００２６】
〔３．第３インク〕
また、本実施形態のインクセットに含まれる第３インクは、第１インク及び第２インクを除く２種以上のカラーインクであることが好ましい。第３インクの種類としては、以下に限定されないが、例えば、マゼンタインク、シアンインク、レッドインク、ブルーインク、オレンジインク、及びグリーンインクからなる群より選択される２種以上が挙げられる。これらの中でも、インク数が少なく色再現性や粒状性に優れるため、マゼンタインク及びシアンインクを少なくとも含むことが好ましく、マゼンタインク及びシアンインクであることがより好ましい。
【００２７】
本実施形態における第３インクは、後述の緩浸透溶剤を含有する。これにより、被記録媒体に浸透しやすいインクの浸透を抑制することができる。このように、２種以上のインクからなる上記第３インクは、それぞれ互いに独立して、顔料及び緩浸透溶剤を含有する。
【００２８】
第３インクに含まれる顔料の含有量は適宜設定してよいが、ブリーディングを効果的に抑制可能なため、第３インクのうち顔料の含有量が相対的に多いインクは、被記録媒体に相対的に浸透しやすいインクであることが好ましい。したがって、第３インクのうち顔料の含有量が相対的に多いインクは、上記緩浸透溶剤を相対的に少なく含有することが好ましい。
【００２９】
以下、インクが含有するか、又は含有し得る各成分（添加剤）を詳細に説明する。なお、以下では、特段の記載がない限り、「インク」は上記の第１〜第３インク等、インクセットを構成する全てのインクを指すものとする。
【００３０】
〔４．顔料〕
本実施形態におけるインクは、顔料を含むものである。顔料としては、無機顔料及び有機顔料のいずれも使用することができる。
【００３１】
（４−１．ブラック顔料）
本実施形態におけるブラックインク（好ましくは第１インク）が含むブラック顔料としては、カーボンブラック（Ｃ．Ｉ．ピグメントブラック７）が好ましい。当該カーボンブラックとして、例えば、ファーネスブラック、ランプブラック、アセチレンブラック、及びチャネルブラック等が挙げられる。
【００３２】
上記カーボンブラックの市販品として、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製商品名）、ラーベン  Ｈ２０，５７５０，５２５０，５０００，３５００，１２５５，７００等（以上、コロンビアカーボン（Ｃａｒｂｏｎ  Ｃｏｌｕｍｂｉａ）社製商品名）、Ｒｅｇａ１  ４００Ｒ，３３０Ｒ，６６０Ｒ、Ｍｏｇｕｌ  Ｌ、Ｍｏｎａｒｃｈ  ７００，８００，８８０，９００，１０００，１１００，１３００，１４００等（以上、キャボット社（ＣＡＢＯＴ  ＪＡＰＡＮ  Ｋ．Ｋ．）製商品名）、Ｃｏｌｏｒ  Ｂｌａｃｋ  ＦＷ１，ＦＷ２，ＦＷ２Ｖ，ＦＷ１８，ＦＷ２００，Ｓ１５０，Ｓ１６０，Ｓ１７０、Ｐｒｉｎｔｅｘ  ３５，Ｕ，Ｖ，１４０Ｕ、Ｓｐｅｃｉａｌ  Ｂｌａｃｋ  ６，５，４Ａ，４等（以上、デグサ（Ｄｅｇｕｓｓａ）社製商品名）、ＢＯＮＪＥＴ  ＢＬＡＣＫ  Ｍ−８００（オリエント化学工業社（ＯＲＩＥＮＴ  ＣＨＥＭＩＣＡＬ  ＩＮＤＵＳＴＲＩＥＳ  ＣＯ．，  ＬＴＤ．）製商品名）が挙げられる。
【００３３】
カーボンブラックは、１種単独で用いてもよく、２種以上を組み合わせて用いてもよい。
【００３４】
カーボンブラックの含有量は、優れた隠蔽性及び色再現性が得られるため、ブラックインクの総質量（１００質量％）に対して、１〜１５質量％が好ましい。
【００３５】
カーボンブラックの平均粒径は、５０〜５００ｎｍの範囲であることが好ましい。平均粒径が５０ｎｍ以上であると、発色性がより良好になるためインクとして使用しやすくなる。他方、平均粒径が５００ｎｍ以下であると、インクジェット方式で使用しやすくなる。また、上記平均粒径は、インクの保存安定性、吐出安定性、及び沈降性に優れるため、５０〜３００ｎｍの範囲がより好ましい。
【００３６】
ここで、本明細書における平均粒径を表す「光散乱法による球換算５０％平均粒子径（ｄ５０）」は、以下のようにして得られる値である。分散媒中の粒子に光を照射し、当該分散媒の前方・側方・後方に配置されたディテクターによって、発生する回折散乱光を測定する。前記測定値を利用して、本来は不定形である粒子を球形であるものと仮定し、当該粒子の体積と等しい球に換算された粒子集団の全体積を１００％として累積カーブを求め、その際の累積値が５０％となる点を上記５０％平均粒子径（ｄ５０）とする。
【００３７】
（４−２．カラー顔料）
本実施形態におけるカラーインク（好ましくは第２インク及び第３インク）が含むカラー顔料の具体例は、得ようとするインクの種類（色）に応じて適宜選択することができる。
【００３８】
本実施形態におけるカラーインクをマゼンタレッド又はレッドインクとする場合の顔料としては、以下に限定されないが、例えば、Ｃ．Ｉ．ピグメントレッド  ２、３、５、６、７、１５、１６、４８：１、４８：２、５３：１、５７：１、１１２、１２２、１２３、１３９、１４４、１４９、１６６、１６８、１７０、１７７、１７８、１８４、１９４、２０２、２０９、２２２、２２４、Ｃ．Ｉ．ピグメントバイオレット  １９が挙げられる。
【００３９】
本実施形態におけるカラーインクをイエローレッド又はオレンジインクとする場合の顔料としては、以下に限定されないが、例えば、Ｃ．Ｉ．ピグメントオレンジ  ３１、４３、６４、Ｃ．Ｉ．ピグメントイエロー  １，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５が挙げられる。
【００４０】
本実施形態におけるカラーインクをシアンレッド、ブルーレッド、又はグリーンインクとする場合の顔料としては、以下に限定されないが、例えば、Ｃ．Ｉ．ピグメントブルー  １，２，３，１５：２，１５：３，１５：４，１５：３４，１６，２２，６０、Ｃ．Ｉ．バットブルー  ４、６０、Ｃ．Ｉ．ピグメントバイオレット  １９、２３、３２、３６、３８、Ｃ．Ｉ．ピグメントグリーン７、３６が挙げられる。
【００４１】
カラーインクが含む顔料の平均粒径は、５０〜５００ｎｍの範囲であることが好ましい。平均粒径が５０ｎｍ以上であると、発色性がより良好となるため、インクとして使用しやすくなる。一方、平均粒径が５００ｎｍ以下であると、インクジェット方式で使用しやすくなる。また、上記平均粒径は、インクの保存安定性、吐出安定性、及び沈降性に優れるため、５０〜３００ｎｍの範囲がより好ましい。
【００４２】
カラーインクに含まれる顔料は、インクごとに、１種単独で用いてもよく、２種以上を組み合わせて用いてもよい。
【００４３】
カラーインクに含まれる顔料の含有量は、得ようとするインクに応じて適宜設定すればよく、インクの総質量（１００質量％）に対して、例えば１〜１２質量％とすればよい。
例えば、顔料濃度が１〜３質量％であるライトインクとすることで、粒状性が抑制された画像を得ることが可能である。一方、顔料濃度が４〜１２質量％であるノーマルインクとすることで、発色性に優れた画像を得ることが可能である。
【００４４】
（４−３．顔料の分散方式）
（４−３−１．自己分散型顔料）
上記第１インクは、自己分散によって分散可能とした自己分散型顔料を含有し、上記第３インクは、自己分散型顔料を含有し得る。
【００４５】
上記自己分散型顔料は、分散剤なしに水性媒体中に分散あるいは溶解することが可能な顔料である。ここで「分散剤なしに水性媒体中に分散あるいは溶解」とは、顔料を分散させるための分散剤を用いなくても、その表面の親水基により、水性媒体中に安定に存在している状態を言う。そのため、分散剤に起因する消泡性の低下による発泡がほとんど無く、吐出安定性に優れるインクが調製しやすい。また、分散剤に起因する大幅な粘度上昇が抑えられるため、顔料をより多く含有することが可能となり印字濃度を十分に高めることが可能になる等、取り扱いが容易である。
【００４６】
上記の親水基は、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、及び−ＮＲ3からなる群から選択される一以上の親水基であることが好ましい。なお、これらの式中のＭは互いに独立して、水素原子、アルカリ金属、アンモニウム、置換基を有していてもよいフェニル基、又は有機アンモニウムを表す。また、これらの式中のＲは互いに独立して、炭素原子数１〜１２のアルキル基又は置換基を有していてもよいナフチル基を表す。
【００４７】
自己分散型顔料は、例えば、顔料に物理的処理または化学的処理を施すことで、前記親水基を顔料の表面に結合（グラフト）させることにより製造される。当該物理的処理としては、例えば真空プラズマ処理等が例示できる。また、当該化学的処理としては、例えば水中で酸化剤により酸化する湿式酸化法や、ｐ−アミノ安息香酸を顔料表面に結合させることによりフェニル基を介してカルボキシル基を結合させる方法等が例示できる。
【００４８】
（４−３−２．樹脂分散型顔料）
上記第２インクは、樹脂分散によって分散可能とした樹脂分散型顔料を含有し、上記第３インクは、自己分散型顔料と共に、又はこれに代えて、樹脂分散型顔料を含有してもよい。つまり、上記第３インクは、自己分散型顔料及び樹脂分散型顔料のうち少なくともいずれかを含む。
【００４９】
上記樹脂分散型顔料に用いられる樹脂（ポリマー）としては、以下に限定されないが、例えば、顔料の分散に用いられる分散ポリマーのＴｇは、５５℃以下であることが好ましく、５０℃以下がより好ましい。当該Ｔｇが５５℃以下であると、定着性を良好なものとすることができる。当該ポリマーのゲルパーミエーションクロマトグラフィー（ＧＰＣ）による重量平均分子量（スチレン換算）が１０，０００以上２００，０００以下であるものを用いることが好ましい。これにより、顔料インクとしての保存安定性が一層良好となる。
【００５０】
ここで、本明細書における重量平均分子量は、日立製作所社製Ｌ７１００システムのゲルパーミエーションクロマトグラフィー（ＧＰＣ）を用いて、スチレン換算重量平均分子量として測定するものとする。
【００５１】
上記ポリマーとして、その構成成分のうち７０質量％以上が（メタ）アクリレート及び（メタ）アクリル酸の共重合によるポリマーであると、定着性及び光沢性に一層優れる。炭素数１〜２４のアルキル（メタ）アクリレート及び炭素数３〜２４の環状アルキル（メタ）アクリレートのうち少なくとも一方が７０質量％以上のモノマー成分から重合されたものであることが好ましい。その具体例としては、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ｔ−ブチルシクロヘキシル（メタ）アクリレート、ラウリル（メタ）アクリレート、イソボロニル（メタ）アクリレート、セチル（メタ）アクリレート、ステアリル（メタ）アクリレート、イソステアリル（メタ）アクリレート、テトラメチルピペリジル（メタ）アクリレート、ジシクロペンタニル（メタ）アクリレート、ジシクロペンテニル（メタ）アクリレート、ジシクロペンテニルオキシ（メタ）アクリレート、及びベヘニル（メタ）アクリレートが挙げられる。また、その他の添加成分としてヒドロキシエチル（メタ）アクリレート、ヒドロキシプロピル（メタ）アクリレート、ジエチレングリコール（メタ）アクリレート等のヒドロキシル基を有するヒドロキシ（メタ）アクリレート、ウレタン（メタ）アクリレート、及びエポキシ（メタ）アクリレートを用いることもできる。
【００５２】
（４−３−３．ポリマーに被覆された顔料）
また、定着性、光沢性、及び色再現性に一層優れるため、上記樹脂分散型顔料の中でもポリマーに被覆された顔料（マイクロカプセル化顔料）が好適に用いられる。
【００５３】
ポリマーに被覆された顔料は、転相乳化法により得られるものである。つまり、上記のポリマーをメタノール、エタノール、イソプロパノール、ｎ−ブタノール、アセトン、メチルエチルケトン、及びジブチルエーテル等の有機溶媒に溶解させる。得られた溶液に顔料を添加し、次いで中和剤及び水を添加して混練・分散処理を行うことにより水中油滴型の分散体を調整する。そして、得られた分散体から有機溶媒を除去することによって、水分散体としてポリマーに被覆された顔料を得ることができる。混練・分散処理は、例えば、ボールミル、ロールミル、ビーズミル、高圧ホモジナイザー、及び高速攪拌型分散機などを用いることができる。
【００５４】
中和剤としては、エチルアミン、トリメチルアミン等の３級アミン、水酸化リチウム、水酸化ナトリウム、水酸化カリウム、及びアンモニア等が好ましく、得られる水分散体のｐＨが６〜１０であることが好ましい。
【００５５】
顔料を被覆するポリマーとしては、重量平均分子量が１０，０００〜１５０，０００程度のものが、顔料を安定的に分散させる点で好ましい。
【００５６】
インクが上記の樹脂（ポリマー）や後述の樹脂粒子を含む場合、当該インクに含まれる顔料の含有量は、樹脂（ポリマー）や樹脂粒子の含有量との関係で決定されるとよい。この関係に基づき、各種顔料の好ましい含有量を説明する。まず、カーボンブラックの含有量は、紙などの被記録媒体の再利用性を良好なものとするため、インクの総質量（１００質量％）に対し、好ましくは０．１〜１５質量％であり、より好ましくは１〜１２質量％である。
特に、イエローインク中のポリマーに被覆された顔料は、好ましくは６質量％以上含まれる。顔料濃度が６質量％以上である場合には、その記録物は発色性に優れたものとなる。
【００５７】
〔５．樹脂粒子〕
本実施形態における第１インク及び第３インクは、少なくとも一方が樹脂粒子を含有することが好ましく、双方が樹脂粒子を含有することがより好ましい。これにより、定着性、光沢性、及び色再現性が一層優れたものとなる。当該樹脂粒子は、主に光沢付与剤としての機能を果たす。つまり、上記のインクが樹脂粒子を含有することにより、光沢ムラの発生を効果的に防止することができる。
【００５８】
上記の樹脂粒子として、特に限定されないが、例えば、にかわ、ゼラチン、及びサポニン等の天然高分子化合物、ポリビニルアルコール類、ポリピロリドン類、（メタ）アクリル酸系重合体（ポリアクリル酸、アクリル酸−アクリロニトリル共重合体、酢酸ビニル−アクリル酸共重合体、酢酸ビニル−アクリル酸エステル共重合体など）、スチレン−（メタ）アクリル酸系重合体（スチレン−アクリル酸共重合体、スチレン−メタクリル酸共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−酢酸ビニル−アクリル酸共重合体など）、スチレン−マレイン酸系重合体、及び酢酸ビニル−脂肪酸ビニル−エチレン共重合体などの重合体、並びにこれらの塩などの合成高分子化合物が挙げられる。
【００５９】
上記の中でも、定着性及び光沢性に一層優れるため、（メタ）アクリル酸系重合体及びスチレン−（メタ）アクリル酸系重合体のうち少なくともいずれかが好ましい。当該（メタ）アクリル酸系重合体の中でも、炭素数１〜２４のアルキル（メタ）アクリレート及び炭素数３〜２４の環状アルキル（メタ）アクリレートのうち少なくともいずれかが７０質量％以上であるモノマーから重合されたものがより好ましい。
【００６０】
上記のより好ましいものの具体例として、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ｔ−ブチルシクロヘキシル（メタ）アクリレート、ラウリル（メタ）アクリレート、イソボロニル（メタ）アクリレート、セチル（メタ）アクリレート、ステアリル（メタ）アクリレート、イソステアリル（メタ）アクリレート、テトラメチルピペリジル（メタ）アクリレート、ジシクロペンタニル（メタ）アクリレート、ジシクロペンテニル（メタ）アクリレート、ジシクロペンテニルオキシ（メタ）アクリレート、及びベヘニル（メタ）アクリレートが挙げられる。また、上記以外のモノマーとして、以下に限定されないが、例えば、ヒドロキシエチル（メタ）アクリレート、ヒドロキシプロピル（メタ）アクリレート、及びジエチレングリコール（メタ）アクリレート等のヒドロキシル基を有するヒドロキシ（メタ）アクリレート、並びにウレタン（メタ）アクリレート及びエポキシ（メタ）アクリレートを用いることもできる。
【００６１】
樹脂粒子を用いて、顔料を水に分散させた分散体としての平均粒径は、好ましくは２０〜５００ｎｍであり、より好ましくは５０〜３００ｎｍである。平均粒径が２０ｎｍ以上であると、記録物の発色性をより良好なものとすることができる。他方、平均粒径が５００ｎｍ以下であると、インクの吐出安定性や保存安定性をより良好なものとすることができる。
【００６２】
樹脂粒子の重量平均分子量は、好ましくは５，０００〜２００，０００であり、より好ましくは１０，０００〜３０，０００である。重量平均分子量が上記範囲内であると、顔料を安定的に分散させることができ、インクの吐出安定性や保存安定性をより良好なものとすることができる。
【００６３】
また、上記樹脂粒子は、樹脂エマルジョンの形態であることが好ましい。樹脂エマルジョンは、インクの乾燥に伴い、樹脂粒子同士及び樹脂粒子と着色成分とが互いに融着して顔料を被記録媒体に固着させるため、記録物の画像部分の定着性を一層良好にすることができる。
【００６４】
上記樹脂粒子は、アクリル系樹脂、メタクリル系樹脂、スチレン系樹脂、ウレタン系樹脂、アクリルアミド系樹脂、及びエポキシ系樹脂からなる群より選択される１種以上であることが好ましい。これらの樹脂は、ホモポリマーとして使用してもよく、コポリマーとして使用してもよい。
【００６５】
樹脂粒子は、１種単独で用いてもよく、２種以上を組み合わせて用いてもよい。
【００６６】
樹脂粒子は、定着性及び光沢性に一層優れるため、インクの総質量（１００質量％）に対し、好ましくは０．１〜７質量％であり、より好ましくは１〜５質量％である。
【００６７】
〔６．脂肪酸〕
本実施形態における第１インクは脂肪酸を含有し、かつ、第２インクは脂肪酸を実質的に含有しない。本実施形態における第３インクは、脂肪酸を含有してもしなくてもよいが、脂肪酸を実質的に含有しないことが好ましい。
【００６８】
上記脂肪酸は、被記録媒体に着弾（付着）後のインク滴表面（気液界面）に界面活性剤のように配列し、ブリーディングを抑制可能な膜を形成する。そのため、上記脂肪酸は疎水性の長鎖炭化水素を有する。炭化水素基の長さは炭素数８以上であるとその効果が発揮されやすくなる。
【００６９】
第１インクは、脂肪酸、金属脂肪酸、及び有機アルカリ脂肪酸のいずれを含有しても同等の効果が発揮される。被記録媒体に付着後にインクの水分が蒸発するとその表面に脂肪酸が析出し界面活性剤の膜ができる。その膜がブリーディングを抑制する。特に、脂肪酸を含有するインクと脂肪酸を実質的に含有しないインクとの間で、優れた耐ブリード性が得られる。
【００７０】
脂肪酸としては、以下に限定されないが、例えば、オレイン酸、リノール酸、リノレン酸、ステアリン酸、及びオクチル酸が挙げられる。
【００７１】
また、脂肪酸の酸化安定性の点で言うと、多くの不飽和脂肪酸は、二重結合が２つ以上あり、二重結合に挟まれたメチレン水素が引き抜かれることで容易に酸化されるため、酸化されやすい。これに対し、オレイン酸のような二重結合が１つの不飽和脂肪酸は、メチレン水素がないため酸化安定性に極めて優れる。さらに、二重結合を持たない飽和脂肪酸は酸化安定性に一層優れる。
【００７２】
また、脂肪酸の融点の点で言うと、脂肪酸がノズル面上に析出した場合、脂肪酸が液体であると、ノズルが詰まってしまう確率が低下する。常温において液体であり、二重結合が１つ以下の脂肪酸としては、オレイン酸が挙げられる。酸化安定性の良好な飽和脂肪酸は、常温で固体のものが多く、インク中への添加には適しないものが多い。よって、上記脂肪酸はオレイン酸であることが好ましい。
【００７３】
脂肪酸は、１種単独で用いてもよく、２種以上を組み合わせて用いてもよい。
【００７４】
脂肪酸の含有量は、一層優れた耐ブリード性が得られるため、インクの総質量（１００質量％）に対し、０．０１〜２質量％であることが好ましく、０．０５〜１質量％であることがより好ましい。
【００７５】
〔７．緩浸透溶剤〕
本実施形態におけるインクのうち、少なくとも第３インクは緩浸透溶剤を含む。ここで、本明細書における「緩浸透溶剤」とは、含有量が１質量％の水溶液において、表面張力を６０ｍＮ／ｍ以上７３ｍＮ／ｍ以下とすることができる有機化合物を意味する（ただし、後述の保湿剤を除く。）。被記録媒体に浸透しやすいインクほど、緩浸透溶剤を相対的に多く含むことが好ましい。より詳しく言えば、ブリーディングが相対的に生じやすい第１インク及び第２インクが、被記録媒体により浸透しやすいインクセットとすることが好ましい。この場合、被記録媒体に浸透しやすいインクの被記録媒体への浸透が抑制され、ブリーディングを効果的に抑制することができる。
なお、本明細書において、表面張力は静的表面張力の測定方法である白金プレート法により測定した値を採用することができる。
【００７６】
また、上述のように、第３インクのうち顔料の含有量が相対的に多いインクは、被記録媒体に浸透しやすいインクの浸透を一層抑制することができるため、緩浸透溶剤を相対的に少なく含有することが好ましい。例えば、第３インクがシアンインク及びマゼンタインクであり、マゼンタ顔料の含有量がシアン顔料の含有量より多い場合、顔料の含有量が相対的に多いマゼンタインクが緩浸透溶剤を相対的に少なく含有することが好ましい。
なお、第３インクが３種以上のインクからなる場合、当該３種以上のインクのうち顔料の含有量が最も多いインクが、緩浸透溶剤を最も少なく含有することが好ましい。
【００７７】
上記の緩浸透溶剤としては、例えば、α，ω−アルカンジオールが挙げられる。当該α，ω−アルカンジオールの中でも、ブリーディングをより効果的に抑制することができるため、炭素数３〜６の直鎖状のものが好ましい。当該炭素数３〜６の直鎖状のものとして、１，３−プロパンジオール、１，４−ブタンジオール、１，５−ペンタンジオール、及び１，６−ヘキサンジオールからなる群より選択される一種以上が好ましく挙げられる。ここで、上記のα及びωは、互いに独立した自然数である。
なお、本実施形態における第１インク及び第２インクは、緩浸透溶剤を含んでもよい。
【００７８】
緩浸透溶剤は、１種単独で用いてもよく、２種以上を組み合わせて用いてもよい。
【００７９】
緩浸透溶剤の含有量は、一層優れた耐ブリード性が得られるため、インクの総質量（１００質量％）に対し、１〜１０質量％であることが好ましく、２〜７質量％であることがより好ましい。したがって、上述のように、緩浸透溶剤の含有量を相対的に多くしたり少なくしたりする場合、これらの好ましい数値範囲内で含有量を設定するとよい。
【００８０】
〔８．浸透溶剤（超浸透溶剤）〕
本明細書における「浸透溶剤」とは、含有量が１質量％の水溶液において、表面張力を４０ｍＮ／ｍ以上６０ｍＮ／ｍ未満とすることができる有機化合物を意味し、緩浸透溶剤と区別するために本明細書では「超浸透溶剤」と称することもある。
【００８１】
本実施形態における第３インクのうち、顔料の含有量が第３インクの中で相対的に多いインクは、超浸透溶剤をさらに含有することが好ましい。これにより、上述のように、顔料の含有量（顔料量）が比較的多いことに起因する浸透しにくさを避けることができ、浸透性が他のインクと同等になって耐ブリード性が一層優れたものとなる。例えば、第３インクがシアンインク及びマゼンタインクである場合、顔料の含有量が相対的に多いマゼンタインクが超浸透溶剤を相対的に多く含有することが好ましい。
【００８２】
また、本実施形態における第１インク及び第２インクは、超浸透溶剤を含むことが好ましい。第１インク及び第２インクの組み合わせは、ブリーディングが最も目立つ組み合わせである。そのため、第１インク及び第２インクが超浸透溶剤を含むことにより、これらのインクが被記録媒体中に速やかに浸透し、ブリーディングを効果的に抑制可能となる。
【００８３】
上記の超浸透溶剤としては、例えば、α，β−アルカンジオール、α，γ−アルカンジオール、並びにグリコールエーテル類及びその他の多価アルコール類が挙げられる。なお、上記のα、β、及びγは、互いに独立した自然数である。
【００８４】
上記α，β−アルカンジオールとしては、炭素数４以上の１，２−アルカンジオールが好ましく、炭素数４〜８の１，２−アルカンジオールがより好ましい。炭素数４以上の１，２−アルカンジオールの具体例としては、１，２−ヘキサンジオール、１，２−ペンタンジオール、及び１，２−オクタンジオール等が挙げられる。
【００８５】
上記α，γ−アルカンジオールとしては、炭素数４以上のα，γ−アルカンジオール（但し、上記緩浸透溶剤として挙げたアルカンジオールを除く。）が好ましく、その具体例としては、２，２−ジメチル−１，３−ヘキサンジオール及び２−エチル−１，３−ヘキサンジオール等が挙げられる。
【００８６】
このように、上記の超浸透溶剤としては、炭素数４以上の１，２−アルカンジオール、２，２−ジメチル−１，３−ヘキサンジオール、２−エチル−１，３−ヘキサンジオール、及び後述のグリコールエーテル類からなる群より選択される１種以上が好ましく挙げられる。
【００８７】
また、上記グリコールエーテル類の具体例としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、及びジプロピレングリコールモノ−ｉｓｏ−プロピルエーテルが挙げられる。グリコールエーテル類の中でも、滲みやムラ等の印刷品質を一層良好なものとすることができるため、多価アルコールモノアルキルエーテルが好ましい。当該多価アルコールモノアルキルエーテルとしては、上記グリコールエーテル類のうち、例えば、ジエチレングリコールモノエチルエーテル、ジエチレングリコールモノブチルエーテル、ジエチレングリコールモノイソブチルエーテル、ジプロピレングリコールモノメチルエーテル、ジプロピレングリコールモノイソプロピルエーテル、ジプロピレングリコールモノイソプロピルエーテル、ジプロピレングリコールモノブチルエーテル、トリエチレングリコールモノメチルエーテル、トリエチレングリコールモノブチルエーテル（ＴＥＧｍＢＥ）、トリプロピレングリコールモノメチルエーテル、及びトリプロピレンプリコールモノブチルエーテル等が挙げられる。
【００８８】
グリコールエーテル類以外の多価アルコール類の具体例としては、２−ブテンー１，４−ジオール、２−エチル−１，３−ヘキサンジオール、２−メチル−２，４−ペンタンジオール、４−メチル−１，２−ペンタンジオール等が挙げられる。
【００８９】
超浸透溶剤は、１種単独で用いてもよく、２種以上を組み合わせて用いてもよい。
【００９０】
超浸透溶剤の含有量は、一層優れた耐ブリード性が得られるため、インクの総質量（１００質量％）に対し、０．５〜１０質量％であることが好ましく、０．５〜６質量％であることがより好ましい。
【００９１】
〔９．界面活性剤〕
本実施形態におけるインクは、界面活性剤を含有してもよい。本明細書における「界面活性剤」は、含有量が１質量％以下の水溶液において、表面張力を４０ｍＮ／ｍ未満、好ましくは３０ｍＮ／ｍ程度とすることのできる化合物を意味する。なお、当該表面張力を４０ｍＮ／ｍ以上とすることのできる化合物は、後述の緩浸透溶剤及び浸透溶剤（超浸透溶剤）に含まれ得る。
【００９２】
上記界面活性剤としては、以下に限定されないが、例えばアニオン性界面活性剤、カチオン性界面活性剤、両性界面活性剤、及びノニオン性界面活性剤が挙げられる。中でも、発泡・起泡の少ないインクが得られるため、ノニオン性界面活性剤が好ましい。
【００９３】
ノニオン性界面活性剤の具体例として、アセチレングリコール系界面活性剤、アセチレンアルコール系界面活性剤、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系、ジメチルポリシロキサン等のポリエーテル変性シロキサン系界面活性剤、その他フッ素アルキルエステル、パーフルオロアルキルカルボン酸塩等の含フッ素系界面活性剤等が挙げられる。ノニオン界面活性剤は、１種単独で、あるいは２種以上を併用して使用可能である。
【００９４】
これらの中でも、発泡が少なく、且つ優れた消泡性能を発揮するため、アセチレングリコール系界面活性剤及びポリエーテル変性シロキサン系界面活性剤のうち少なくとも一方が好ましい。
【００９５】
アセチレングリコール系界面活性剤の具体例としては、２，４，７，９−テトラメチル−５−デシン−４，７−ジオール、３，６−ジメチル−４−オクチン−３，６−ジオール、３，５−ジメチル−１−ヘキシン−３オールなどが挙げられるが、市販品で入手も可能で、例えば、サーフィノール１０４、８２、４６５、４８５、ＴＧ（以上、エアープロダクツ社（Air Products and Chemicals, Inc.）製商品名）やオルフィンＳＴＧ、オルフィンＥ１０１０（以上、日信化学社（Nissin Chemical Industry CO.,Ltd.）製商品名）等が挙げられる。また、ポリエーテル変性シロキサン系界面活性剤の具体例としては、ＢＹＫ−３４５、ＢＹＫ−３４６、ＢＹＫ−３４７、ＢＹＫ−３４８、ＵＶ３５３０（以上、ビッグケミー・ジャパン（BYK Japan）社製商品名）等を挙げることができる。
【００９６】
界面活性剤は、１種単独で用いてもよく、２種以上を組み合わせて用いてもよい。
【００９７】
界面活性剤は、被記録媒体上でドットがさらに広がりやすくなるため、インクの総質量（１００質量％）に対して０．１〜３．０質量％含まれるとよい。
【００９８】
〔１０．保湿剤（湿潤剤）〕
本実施形態におけるインクは、保湿剤（湿潤剤）を含有してもよい。本明細書における「保湿剤（湿潤剤）」は、吸湿性を有する化合物、又は水と相溶することにより水分の蒸発を防ぐ化合物を意味する。「水と相溶する」とは、２０℃における水１００ｇへの溶解度が１０ｇ以上であることを意味する。なお、上述のように、含有量が１質量％の水溶液において、表面張力を６０ｍＮ／ｍ以上７３ｍＮ／ｍ以下とすることができる有機化合物のうち、保湿性能（湿潤性能）を有する化合物は、緩浸透溶剤でなく保湿剤に含まれるものとする。
【００９９】
上記保湿剤の具体例として、グリセリン、１，２，６−ヘキサントリオール、トリメチロールプロパン、エチレングリコール、プロピレングリコール、ジエチレングリコール、トリエチレングリコール、テトラエチレングリコール、ペンタエチレンフリコール、及びジプロピレングリコール等の３価以上のアルコール類、グルコース、マンノース、フルクトース、リボース、キシロース、アラビノース、ガラクトース、アルドン酸、グルシトール、（ソルビット）、マルトース、セロビオース、ラクトース、スクロース、トレハロース、及びマルトトリオース等の糖類、糖アルコール類、ヒアルロン酸類、及び尿素類などのいわゆる固体湿潤剤、アミノ酸（トリメチルグリシン等のベタイン系化合物を含む。）、２−ピロリドン及びＮ−メチル−２−ピロリドン等のラクタム系化合物、γ−ブチロラクトン等のラクトン系化合物、並びに１，３−ジメチル−２−イミダゾリジノン、ホルムアミド、アセトアミド、ジメチルスルホキシド、ソルビット、ソルビタン、アセチン、ジアセチン、トリアセチン、及びスルホランが挙げられる。
【０１００】
保湿剤は、１種単独で用いてもよく、２種以上を組み合わせて用いてもよい。
【０１０１】
保湿剤は、インクの適正な物性値（粘度等）、印刷品質、及び信頼性を確保するため、インクの総質量（１００質量％）に対して５〜３０質量％含まれるとよい。
【０１０２】
〔１１．水〕
本実施形態におけるインクは、水を含有してもよい。水としては特に制限されないが、例えば、イオン交換水、限外濾過水、逆浸透水、蒸留水等の純水、又は超純水を用いることができる。水の含有量は特に制限されない。
【０１０３】
〔１２．ｐＨ調整剤〕
本実施形態におけるインクは、ｐＨ調整剤を含有してもよい。当該ｐＨ調整剤としては、以下に限定されないが、例えば、水酸化リチウム、水酸化カリウム、及び水酸化ナトリウム等の水酸化アルカリ、並びにアンモニア、トリエタノールアミン、トリプロパノールアミン、ジエタノールアミン、及びモノエタノールアミン等のアルカノールアミンが挙げられる。特に、アルカリ金属の水酸化物、アンモニア、トリエタノールアミン、及びトリプロパノールアミンからなる群より選択される１種以上のｐＨ調整剤によって、インクがｐＨ６〜１０の範囲に調整されることが好ましい。ｐＨが当該範囲内であると、インクジェットプリンターを構成する材料等に劣化などの影響を与えることがなく、目詰まり回復性が優れたものとなる。ｐＨ調整剤の含有量は特に制限されず、適宜決定されればよい。
【０１０４】
〔１３．防腐剤・防黴剤〕
本実施形態におけるインクは、防腐剤・防黴剤を含有してもよい。防腐剤・防黴剤としては、例えばエチレンジアミン四酢酸（ＥＤＴＡ）、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（Ａｖｅｃｉａ社製のプロキセルＣＲＬ、プロキセルＢＤＮ、プロキセルＧＸＬ、プロキセルＸＬ−２、プロキセルＴＮ）等が挙げられる。防腐剤・防黴剤の含有量は特に制限されず、適宜決定されればよい。
【０１０５】
〔１４．その他の添加剤〕
本実施形態におけるインクは、上記した添加剤以外の添加剤を含有してもよい。その他の添加剤として、特に限定されないが、例えば、防錆剤、酸化防止剤、増粘剤、及び表面張力調整剤が挙げられる。
【０１０６】
このように、本実施形態によれば、相対速度が０．５ｍ／ｓｅｃ以上のインクジェット記録装置を用いて高速印刷を行う場合に、耐ブリード性に優れたインクセットを提供することができる。さらに言えば、本実施形態のインクセットを構成する各種のインクの組成を、視認性（Ｌ値）及び滲み易さ（顔料量）の観点で各種の特徴を生かした組成とすることにより、高速プリンターに用いる場合であっても高画質の記録物が得られる。
【０１０７】
［インクジェット記録方法］
本発明の一実施形態は、インクジェット記録方法に係る。当該インクジェット記録方法（以下、単に「記録方法」ともいう。）は、上記実施形態のインクセットを用いて記録するものである。
【０１０８】
より具体的に言えば、上記記録方法は、インクの液滴を吐出し、加熱した被記録媒体に当該液滴を着弾（付着）させて画像形成を行うものである。各インクの液滴を吐出する方法の例としては、例えば電歪素子を用いて電気信号を機械信号に変換して、ヘッドのノズル部分に貯えたインクを断続的に吐出して記録媒体表面に文字や記号を記録する方法や、ヘッドのノズル部分に貯えたインクを吐出部分に極めて近い箇所で急速に加熱し泡を発生させ、その泡による体積膨張で断続的に吐出することで被記録媒体表面に文字や記号を記録する方法が挙げられる。上記実施形態のインクセットは、記録方法の中でも電歪素子を用いた記録方法に好ましく用いられる。各インクの液滴の吐出は、圧電素子の力学的作用を利用してインク滴を吐出させるヘッドにより行われることが好ましい。
【０１０９】
なお、好ましい態様として、０．５ｍ／ｓｅｃ以上のキャリッジ速度でキャリッジを移動させるインクジェット記録装置で高速印刷が挙げられるが、相対速度が０．５ｍ／ｓｅｃ以上のインクジェット記録装置を用いた印刷であれば、本実施形態は特に限定されない。「相対速度が０．５ｍ／ｓｅｃ以上のインクジェット装置を用いた印刷」とは、ヘッド及び被記録媒体のうち少なくとも一方が移動しながら被記録媒体にインクを吐出する際の、当該移動の相対速度が０．５ｍ／ｓ以上である印刷を意味する。
【０１１０】
相対速度が０．５ｍ／ｓｅｃ以上の高速印刷になると、着弾ずれの影響が顕著となる。具体的には、着弾ずれが起こるとインク滴同士の接触が起こり、ブリーディングが発生する場合がある。上記実施形態のインクセットを用いることで、上述のとおり耐ブリード性が優れたものとなるため、相対速度が０．５ｍ／ｓｅｃ以上の高速印刷であってもブリーディングが抑制された記録物を得ることができる。
【０１１１】
〔被記録媒体〕
また、上記被記録媒体としては、インク低吸収性の被記録媒体が好ましく挙げられる。低吸水性の被記録媒体としては、例えば、塗工紙が挙げられ、より詳細には微塗工紙、アート紙、コート紙、マット紙、及びキャスト紙などの記録本紙（印刷本紙）等が挙げられる。また、上記低吸水性の被記録媒体として、インク受容層を設けていない普通紙、並びにインクジェット専用紙（中でもインクジェット記録層の薄いブローシャー用紙及びインクジェット用コート紙）なども挙げられる。
【０１１２】
塗工紙は、表面に塗料を塗布し、美感や平滑さを高めた紙である。塗料は、タルク、パイロフィライト、クレー（カオリン）、酸化チタン、炭酸マグネシウム、炭酸カルシウムなどの顔料と、デンプン、ポリビニルアルコールなどの接着剤を混合して作ることができる。
塗料は、紙の製造工程の中でコーターという機械を用いて塗布する。コーターには、抄紙機と直結することで抄紙・塗工を１工程とするオンマシン式と、抄紙とは別工程とするオフマシン式がある。主に記録に用いられ、経済産業省の「生産動態統計分類」では印刷用塗工紙に分類される。
【０１１３】
微塗工紙とは、塗料の塗工量が１２ｇ／ｍ2以下の記録用紙のことをいう。また、アート紙とは、上級記録用紙（上質紙、化学パルプ使用率１００％の紙）に４０ｇ／ｍ2前後の塗料を塗工した記録用紙のことをいう。また、コート紙とは、２０ｇ／ｍ2〜４０ｇ／ｍ2程度の塗料を塗工した記録用紙のことをいう（好ましいコート紙については後記実施例欄を参照）。また、キャスト紙とは、アート紙やコート紙を、キャストドラムという機械で表面に圧力をかけることで、光沢や記録効果がより高くなるように仕上げた記録用紙のことをいう。
【０１１４】
低吸水性の被記録媒体として合成紙や印刷本紙（ＯＫＴ＋：王子製紙社製）を用いることが好ましいが、とりわけ、アート紙、ＰＯＤ（プリントオンデマンド）用途に用いられる高画質用紙及びレーザープリンター用の専用紙において、特に低解像度で印刷した場合でも、耐ブリード性に優れた高品質な画像が実現できる。ＰＯＤ用途の高画質用紙としては、例えば、リコービジネスコートグロス１００（リコー社製）等が挙げられる。また、レーザープリンター用の専用紙としては、例えばＬＰＣＣＴＡ４（セイコーエプソン社（Seiko Epson Corporation）製）等が挙げられる。また、耐水紙としては、カレカ（三菱化学メディア社製）や、レーザーピーチ（日清紡ポスタルケミカル社製）等を挙げられる。
【０１１５】
なお、上述のとおり、普通紙やＰＰＣ用紙のような、インクジェット記録特性について特に考慮されていない紙も低吸水性の被記録媒体である。また、インクジェット記録層の薄いブローシャー用紙なども低吸水性の被記録媒体である。当該ブローシャー用紙の市販品として、例えば、ＨＰ社製のＢｒｏｃｈｅｒ紙、ＳＴＡＰＬＥＳ社製のｉｎｋｊｅｔ  ｂｒｏｃｈｅｒ紙、及びセイコーエプソン社製のビジネスインクジェットプリンタ用コート紙  ＫＡ４２５０ＢＣ等が挙げられる。
【０１１６】
また、上述のインクジェット専用紙は、吸水性に優れ、且つ上質紙等の基材上にインク受容層を設けてなるインクジェット記録用の被記録媒体を意味する。当該インクジェット専用紙は、上記インク受容層中にポリビニルアルコール等の水溶性樹脂を含有するいわゆる「膨潤型」、及び上記インク受容層中に非晶質シリカ等の多孔質材料を含有するいわゆる「吸収型」の何れのタイプも含む。
【０１１７】
また、上記インクジェット専用紙の中でも、写真用紙はブリーディングが目立ち易いため、低吸水性の被記録媒体と同様に、優れた耐ブリード性が要求される。そこで、上記実施形態のインクセットを用いれば、低吸水性の被記録媒体上での耐ブリード性に優れるため、吸収性に優れたインクジェット専用紙においても耐ブリード性が良好であるとともに、光沢感に優れた記録物を得ることができる。
【０１１８】
このように、本実施形態によれば、相対速度が０．５ｍ／ｓｅｃ以上であるインクジェット記録装置、中でも０．５ｍ／ｓｅｃ以上のキャリッジ速度でキャリッジを移動させるインクジェット記録装置を用いて高速印刷を行う場合でも、耐ブリード性に優れた上記実施形態のインクセットを用いるインクジェット記録方法を提供することができる。
【実施例】
【０１１９】
以下、本発明の実施形態を実施例によってさらに具体的に説明するが、本発明の実施形態はこれらの実施例のみに限定されるものではない。
【０１２０】
［使用材料］
〔自己分散型のブラック顔料分散液の調製〕
市販のカーボンブラックであるＳ１７０（デグサ社製商品名）２０ｇを水５００ｇに混合して、家庭用ミキサーで５分間分散した。得られた液を攪拌装置付きの３Ｌ容のガラス容器に入れ、攪拌機で攪拌しながら、オゾン濃度８質量％のオゾン含有ガスを５００ｍＬ／分で導入した。その際、オゾン発生器はペルメレック電極社（PERMELEC ELECTRODE LTD.）製の電解発生型のオゾナイザーを用いてオゾンを発生させた。得られた分散原液をガラス繊維濾紙ＧＡ−１００（アドバンテック東洋社（ADVANTEC MFS,INC.）製商品名）で濾過し、さらに固形分濃度が２０質量％になるまで０．１Ｎの水酸化カリウム溶液を添加しｐＨ９に調整しながら濃縮を行い、自己分散型のブラック顔料分散液を得た。
【０１２１】
〔自己分散型のシアン顔料分散液の調製〕
回転子−固定子型高剪断混合機（シルバーソン  Ｌ４ＲＴ−Ａ）に４Ｌ容ステンレス鋼製ビーカーを取り付け、氷浴中に浸した。このビーカーに、Ｃ．Ｉ．ピグメントブルー１５：４  約７５ｇ及び水１，０００ｇを入れ、７，２００ｒｐｍにて１５分間均質化した。これに２．０７ｇ（０．０１ｍｏｌ）のｏ−アセトアニシジドを溶解したイソプロパノール溶液２０ｍＬを添加し、さらに１５分間撹拌した。
【０１２２】
別の容器中で、スルファニル酸  ４．３５ｇ（０．０２５ｍｏｌ）、１Ｎ−ＨＣｌ  ３０ｍＬ、及び亜硝酸ナトリウム  １．７３ｇ（０．０２５ｍｏｌ）を５〜１０℃で混合して、ジアゾニウム塩を形成させた。次いで、これを上記Ｃ．Ｉ．ピグメントブルー１５：４とｏ−アセトアニシジドの混合物に撹拌しながら添加し、温度を約１０℃に維持した。この混合物を、５Ｍ水酸化ナトリウム溶液の滴加によりｐＨ５〜６に調整し、ジアゾニウム塩の存在有無により反応の進行を確認しながら、さらに２時間攪拌した。
なお、ジアゾニウム塩の存在の確認は、ジアゾニウム塩が存在する場合、反応混合物と０．１％アミノサリチル酸を溶解した１Ｍ−Ｎａ2ＣＯ3溶液とをそれぞれ濾紙上に１滴ずつ垂らした際、これら二つの滴の広がりが触れ合うと橙色となることを利用して行った。
【０１２３】
混合物をテルソニック流通型音波処理装置に移し、そして２時間超音波処理し、得られた顔料分散液を、５０ｎｍダイアフィルトレーション膜カラムを用いて精製後、２０質量％の固形分濃度まで濃縮し、自己分散型のシアン顔料分散液を得た。
【０１２４】
〔樹脂分散型のシアン顔料分散液の調製〕
水不溶性ポリマーによって被覆された顔料を分散粒子とする顔料分散液を下記の方法によって調製した。
【０１２５】
（水不溶性ポリマーの合成）
有機溶媒（メチルエチルケトン）２０質量部、重合連鎖移動剤（２−メルカプトエタノール）０．０３質量部、重合開始剤、表１に示す各モノマーを用い、窒素ガス置換を十分に行った反応容器内に入れて７５℃攪拌下で重合し、モノマー成分１００質量部に対してメチルエチルケトン４０質量部に溶解した２，２'−アゾビス（２，４−ジメチルバレロニトリル０．９質量部を加え、８０℃で１時間熟成させ、ポリマー溶液を得た。なお、表１に示す数値は、モノマー混合物の全量を基準（１００質量％）としたときの各モノマーの割合（質量％）を意味する。
【０１２６】
【表１】
2013227412.tif 000002
【０１２７】
なお、表１中、「ＥＯ」はエチレンオキサイドを意味し、「ＰＯ」はプロピレンオキサイドを意味する。
【０１２８】
（顔料分散液の調製）
メチルエチルケトン４５質量部に表１の水不溶性ポリマーを７．５質量部溶解させて、その中に２０％の水酸化ナトリウム水溶液（中和剤）を所定量加えて塩生成基を中和し、さらにシアン顔料（Ｃ．Ｉ．ピグメントブルー１５：４）を２０質量部加えてビーズミルで２時間混練した。このようにして得られた混練物にイオン交換水１２０質量部を加えて攪拌した後、減圧下、６０℃でメチルエチルケトンを除去し、さらに一部の水を除去することにより、固形分濃度が４０質量％の、樹脂分散型のシアン顔料分散液を得た。
【０１２９】
〔自己分散型のマゼンタ顔料分散液の調製〕
顔料としてＣ．Ｉ．ピグメントブルー１５：４に代えてＣ．Ｉ．ピグメントレッド１２２を用いた点以外は、シアン顔料分散液の場合と同様にして調製し、固形分濃度が２０質量％の、自己分散型のマゼンタ顔料分散液を得た。
【０１３０】
〔樹脂分散型のマゼンタ顔料分散液の調製〕
顔料としてＣ．Ｉ．ピグメントブルー１５：４に代えてマゼンダ顔料（Ｃ．Ｉ．ピグメントレッド１２２）を用いた点以外は、樹脂分散型のブラック顔料分散液と同様にして調製し、固形分濃度が４０質量％の、樹脂分散型のマゼンタ顔料分散液を得た。
【０１３１】
〔自己分散型のイエロー顔料分散液の調製〕
顔料としてＣ．Ｉ．ピグメントブルー１５：４に代えてＣ．Ｉ．ピグメントイエロー７４を用いた点以外は、シアン顔料分散液の場合と同様にして調製し、固形分濃度が２０質量％の、自己分散型のイエロー顔料分散液を得た。
【０１３２】
〔樹脂分散型のイエロー顔料分散液の調製〕
顔料としてＣ．Ｉ．ピグメントブルー１５：４に代えてＣ．Ｉ．ピグメントイエロー７４を用いた点以外は、樹脂分散型のブラック顔料分散液と同様にして調製し、固形分濃度が４０質量％の、樹脂分散型のイエロー顔料分散液を得た。
【０１３３】
〔樹脂エマルジョンの調製〕
攪拌機、還流コンデンサー、滴下装置、及び温度計を備えた反応容器に、イオン交換水９００ｇ及びラウリル硫酸ナトリウム１ｇを仕込み、攪拌下に窒素置換しながら７０℃まで昇温した。内温を７０℃に保ち、重合開始剤として過硫酸カリウム４ｇを添加し、溶解後、予めイオン交換水４５０ｇ、ラウリル硫酸ナトリウム３ｇにアクリルアミド２０ｇ、スチレン３６５ｇ、ブチルアクリレート５４５ｇ、及びメタクリル酸３０ｇを攪拌下に加えて作製した乳化物を、反応溶液内に連続的に４時間かけて滴下した。滴下終了後３時間の熟成を行った。得られた樹脂エマルジョンを常温まで冷却した後、イオン交換水と水酸化ナトリウム水溶液とを添加して固形分濃度４０質量％、ｐＨ８に調整した。得られた水性エマルジョンにおける樹脂粒子のガラス転移温度は−６℃であった。
〔界面活性剤〕
・オルフィンＥ１０１０（日信化学社製商品名、以下では「Ｅ１０１０」と記載した。）
〔脂肪酸〕
・オレイン酸
〔ｐＨ調整剤〕
・トリプロパノールアミン
〔緩浸透溶剤〕
・１，３−プロパンジオール
・１，６−ヘキサンジオール
〔浸透溶剤〕
・１，２−ヘキサンジオール
・１，２−オクタンジオール
〔防腐剤・防黴剤〕
・エチレンジアミン四酢酸（ＥＤＴＡ）
〔水〕
・イオン交換水
【０１３４】
［インクの調製］
下記表２及び表３の組成に従い各成分を混合し、１０μｍのメンブランフィルターでろ過することにより、ブラックインク１〜３（Ｋ１〜Ｋ３）、シアンインク１〜３（Ｃ１〜Ｃ３）、マゼンタインク１〜４（Ｍ１〜Ｍ４）、及びイエローインク１〜４（Ｙ１〜Ｙ４）を調製した。なお、下記表２及び表３中の数値はインク中の含有量（質量％）を表し、「合計」は１００．００質量％である。また、表中、顔料分散液の欄のカッコ内の数字は各顔料の固形分濃度を表し、樹脂エマルジョンの欄のカッコ内の数字は樹脂エマルジョンの固形分濃度が４０質量％であることを表す。
【０１３５】
【表２】
2013227412.tif 000003
【０１３６】
【表３】
2013227412.tif 000004
【０１３７】
［実施例１〜３、比較例１〜４］
下記表４に示すようなインクの組み合わせに従い、インクセットを調製した。
【０１３８】
［評価方法・基準］
〔耐ブリード性〕
調製した各インクセットを、キャリッジ速度を変更できるように改造したインクジェットプリンターＰＸ−Ａ５５０（セイコーエプソン社製）に充填し、以下の被記録媒体及び印刷パターンで印刷を行い、以下の基準に従い評価した。なお、本評価におけるキャリッジ速度を０．７ｍ／ｓｅｃとした。
被記録媒体として、ビジネスインクジェットコート紙（セイコーエプソン社製、型番：ＫＡ４２５０ＢＣ）を用いた。なお、ビジネスインクジェットコート紙は、塗工層が設けられた被記録媒体であり、そのインク吸収能は普通紙のものより小さい。
印刷パターンは、インクＡ及びインクＢのうち、一方で背景を印刷し、もう一方で印字を行うことで、これら２色間の評価を行った。具体的に言えば、Ａ色を背景色とし且つＢ色で「書」の文字をサイズ６ｐｔの大きさで印刷したパターンと、またＢ色を背景色とし且つＡ色で「書」の文字を６ｐｔの大きさで印刷したパターンと、を用いて評価を行った。
評価基準は、以下の通りである。評価結果を下記表４に示す。
○：印字物から３０ｃｍの距離で、目視により文字を観察してもブリーディングは見られなかった。
×：印字物から３０ｃｍの距離で、目視により文字を観察したところ、ブリーディングが見られた。
【０１３９】
【表４】
2013227412.tif 000005
【０１４０】
以上の結果より、脂肪酸と自己分散型顔料とを含有し、かつ、最もＬ値が低いブラックインクと、樹脂分散型顔料を含有し、脂肪酸を実質的に含有せず、かつ、最もＬ値が高いイエローインクと、緩浸透溶剤を含有し、かつ、ブラック及びイエロー以外の２種以上である第３インクと、を含む４種のインクセット（各実施例）は、そうでない４種のインクセット（各比較例）に比して、相対速度が０．５ｍ／ｓｅｃ以上の高速印刷において、各色間の耐ブリード性に優れることが分かった。
【０１４１】
相対速度が０．５ｍ／ｓｅｃ以上の高速印刷において、互いのインク同士の混色を防止し、耐ブリード性を良好なものとするのは極めて困難である。これに対し、本発明のインクセットによれば、構成する４種のインクがそれぞれの特徴を最大限発揮できるよう、各インク組成を浸透性の観点で異ならせることにより、ブリーディングを抑制可能となることが分かった。４種のインクの特徴を最大限発揮させることに加えた本発明のインクセットは、ブリーディングの生じやすい被記録媒体（低吸収性の被記録媒体）であっても質の高い画像を形成できることも分かった。
【０１４２】
なお、相対速度を０．３ｍ／ｓｅｃとした点以外は、各実施例及び各比較例と同様にして耐ブリード性を評価したところ、いずれの結果も「○」となった。したがって、本発明のインクセットは、相対速度０．５ｍ／ｓｅｃ以上の高速印刷に用いる場合、優れた効果をもたらすものであることを確認した。